(57)【要約】      （修正有）【課題】廉価で拡声効率を高めた飛沫飛散防止機能付きメガホンを提供する。【解決手段】メガホン本体１１とメガホンマスク１２とを備えた飛沫飛散防止機能付きメガホン１であって、メガホン本体１１は、メガホン胴部１１１と口元開口部１１２と先端開口部１１３とマスク保持手段１１４とからなり、メガホンマスク１２は、マスク部１２１とマスク被保持手段１２２とからなり、マスク保持手段１１４は、マスク部１２１を先端開口部１１３に保持するための手段であり、マスク被保持手段１２２は、マスク部１２１が先端開口部１１３に保持されるための手段であり、マスク保持手段１１４とマスク被保持手段１２２とは互いに連結される構造である。【選択図】図１
0003233203.tif 000002
【実用新案登録請求の範囲】
【請求項１】
メガホン本体と、メガホンマスクと、を備えた飛沫飛散防止機能付きメガホンであって、
前記メガホン本体は、メガホン胴部と、口元開口部と、先端開口部と、マスク保持手段と、からなり、
前記メガホンマスクは、前記先端開口部からの飛沫の飛散を防止するため前記先端開口部に接して覆うマスクであって、マスク部と、マスク被保持手段と、からなり、
前記マスク保持手段は、前記マスク部を前記先端開口部に保持するための手段であり、
前記マスク被保持手段は、前記マスク部が前記先端開口部に保持されるための手段であり、
前記マスク保持手段と前記マスク被保持手段とは、互いに連結される構造である、
ことを特徴とする飛沫飛散防止機能付きメガホン。
【請求項２】
請求項１に記載の飛沫飛散防止機能付きメガホンであって、さらに、
前記マスク保持手段と前記マスク被保持手段とは、連結を解除されおよび再連結されることが可能な構造である、
ことを特徴とする飛沫飛散防止機能付きメガホン。
【請求項３】
請求項２に記載の飛沫飛散防止機能付きメガホンであって、さらに、
前記マスク保持手段は、前記メガホン胴部に切られたｎ個（ｎは２以上の整数）のスリットであり、各前記スリットの位置は、前記先端開口部からの距離が等しい位置であって、かつ、前記メガホン本体の中心軸に対して略ｎ回対称の位置であり、各前記スリットは前記口元開口部に向けて略半円形に切られており、
前記マスク被保持手段は、ｎ本の紐と、前記マスク部の外周付近にある２ｎ個の取付部と、からなり、各前記取付部は、前記マスク部の中心に対して略２ｎ回対称の位置にあり、各前記紐の２端は隣り合う前記取付部に取り付けられており、
各前記スリットと各前記取付部に取り付けられた各前記紐とは、互いに連結され、連結を解除され、再連結されることを可能とするために、各前記紐の中央部近辺が各前記スリットに嵌入可能で、かつ、嵌入を外すことが可能な、各前記紐の長さおよび各前記スリットの位置関係とし、
各前記スリットと各前記紐とが互いに連結された状態において、略２ｎ回対称の方向に、前記先端開口部を覆う前記マスク部が各前記紐により各前記取付部を通して引かれることで、前記マスク部が前記先端開口部に保持される構造である、
ことを特徴とする飛沫飛散防止機能付きメガホン。
【請求項４】
請求項２または請求項３に記載の飛沫飛散防止機能付きメガホンであって、さらに、
前記メガホン本体は、平面状態からの組立および平面状態への展開が可能であることを特徴とする飛沫飛散防止機能付きメガホン。
【請求項５】
請求項１から請求項４のいずれかに記載の飛沫飛散防止機能付きメガホンであって、さらに、
前記マスク部が多層構造であることを特徴とする飛沫飛散防止機能付きメガホン。
【請求項６】
請求項５に記載の飛沫飛散防止機能付きメガホンであって、さらに、
前記マスク部の少なくとも１つの層の材質が不織布であることを特徴とする飛沫飛散防止機能付きメガホン。
【請求項７】
請求項１から請求項６のいずれかに記載の飛沫飛散防止機能付きメガホンであって、さらに、
前記マスク部の形状が、略円形または略正多角形であることを特徴とする飛沫飛散防止機能付きメガホン。
【考案の詳細な説明】
【技術分野】
【０００１】
本考案は、飛沫飛散防止機能が付いたメガホンに関する。
【背景技術】
【０００２】
従来の飛沫飛散防止機能付きメガホンとしてホーンスロート（ホーンの口元位置部分）に抗菌／抗ウイルスフィルターなどからなるフィルターを設けた構造のメガホンが開示されている（例えば、特許文献１参照）。
【０００３】
しかし、このような飛沫飛散防止機能付きメガホンは、抗菌／抗ウイルスフィルターなどからなるフィルターをその構成品としているため高価なものとなって実用的ではない。また、抗菌／抗ウイルスフィルターなどからなるフィルターは一般的にはシート状のものであってホーンスロートを遮蔽し、フィルターがシート状のものでなくともその材料が漏れないようにシート状のものでやはりホーンスロートを遮蔽する必要がある。すると、ホーンスロート部分の狭い断面積位置にシート状のものが遮蔽物（界壁）として存在することになり、メガホンとしての十分な拡声効果が得られないという問題があった。これは、界壁への音声の透過率は、広い面積の界壁と比較して狭い面積の界壁の方が小さいので界壁を透過した時点（位置）で音圧がかなり減衰してしまう事などが原因である。
【先行技術文献】
【特許文献】
【０００４】
【特許文献１】実用新案登録第３２３１３４４号公報
【考案の概要】
【考案が解決しようとする課題】
【０００５】
本考案はこれら問題点に鑑み、抗菌／抗ウイルスフィルターなどからなるフィルターの代わりとなる素材を用いた構造として、全体として廉価なものとすることを目的とする。これに加えて、当該素材がメガホンの先端開口部に保持される構造とすることで、ホーンスロート位置の界壁と比較して広い面積の界壁として音圧の減衰を小さくするなどにより、十分な拡声効果が得られる飛沫飛散防止機能付きメガホンを提供することを目的とする。
【課題を解決するための手段】
【０００６】
第１の考案による飛沫飛散防止機能付きメガホンは、メガホン本体と、メガホンマスクと、を備えた飛沫飛散防止機能付きメガホンであって、メガホン本体は、メガホン胴部と、口元開口部と、先端開口部と、マスク保持手段と、からなり、メガホンマスクは、先端開口部からの飛沫の飛散を防止するため先端開口部に接して覆うマスクであって、マスク部と、マスク被保持手段と、からなり、マスク保持手段は、マスク部を先端開口部に保持するための手段であり、マスク被保持手段は、マスク部が先端開口部に保持されるための手段であり、マスク保持手段とマスク被保持手段とは、互いに連結される構造である、ことを特徴とする。
【０００７】
第２の考案による飛沫飛散防止機能付きメガホンは、第１の考案による飛沫飛散防止機能付きメガホンであって、さらに、マスク保持手段とマスク被保持手段とは、連結を解除されおよび再連結されることが可能な構造である、ことを特徴とする。
【０００８】
第３の考案による飛沫飛散防止機能付きメガホンは、第２の考案による飛沫飛散防止機能付きメガホンであって、さらに、マスク保持手段は、メガホン胴部に切られたｎ個（ｎは２以上の整数）のスリットであり、各スリットの位置は、先端開口部からの距離が等しい位置であって、かつ、メガホン本体の中心軸に対して略ｎ回対称の位置であり、各スリットは口元開口部に向けて略半円形に切られており、マスク被保持手段は、ｎ本の紐と、マスク部の外周付近にある２ｎ個の取付部と、からなり、各取付部は、マスク部の中心に対して略２ｎ回対称の位置にあり、各紐の２端は隣り合う取付部に取り付けられており、各スリットと各取付部に取り付けられた各紐とは、互いに連結され、連結を解除され、再連結されることを可能とするために、各紐の中央部近辺が各スリットに嵌入可能で、かつ、嵌入を外すことが可能な、各紐の長さおよび各スリットの位置関係とし、各スリットと各紐とが互いに連結された状態において、略２ｎ回対称の方向に、先端開口部を覆うマスク部が各紐により各取付部を通して引かれることで、マスク部が先端開口部に保持される構造である、ことを特徴とする。
【０００９】
第４の考案による飛沫飛散防止機能付きメガホンは、第２の考案または第３の考案に記載の飛沫飛散防止機能付きメガホンであって、さらに、メガホン本体は、平面状態からの組立および平面状態への展開が可能であることを特徴とする。
【００１０】
第５の考案による飛沫飛散防止機能付きメガホンは、第１の考案から第４の考案のいずれかに記載の飛沫飛散防止機能付きメガホンであって、さらに、マスク部が多層構造であることを特徴とする。
【００１１】
第６の考案による飛沫飛散防止機能付きメガホンは、第５の考案に記載の飛沫飛散防止機能付きメガホンであって、さらに、マスク部の少なくとも１つの層の材質が不織布であることを特徴とする。
【００１２】
第７の考案による飛沫飛散防止機能付きメガホンは、第１の考案から第６の考案のいずれかに記載の飛沫飛散防止機能付きメガホンであって、さらに、マスク部の形状が、略円形または略正多角形であることを特徴とする。
【考案の効果】
【００１３】
本考案の飛沫飛散防止機能付きメガホンは、飛沫飛散防止機能として抗菌／抗ウイルスフィルターなどからなるフィルターの代わりにマスク素材を用いた構造とすることで廉価な飛沫飛散防止機能付きメガホンを提供できるという効果を有する。
【００１４】
本考案の飛沫飛散防止機能付きメガホンは、当該マスク素材がメガホンの先端開口部に保持される構造であるので、ホーンスロート位置の界壁と比較して広い面積の界壁として音圧の減衰を小さくするなどにより、十分な拡声効果が得られる飛沫飛散防止機能付きメガホンを提供できるという効果を有する。
【００１５】
本考案の飛沫飛散防止機能付きメガホンは、当該マスク素材をメガホンの先端開口部に保持するためのマスク保持手段とマスク被保持手段との連結が、解除されおよび再連結されることが可能な構造とすることで、当該メガホンの携帯や商品搬送を容易とし、かつ、各部の交換が容易な飛沫飛散防止機能付きメガホンを提供できるという効果を有する。
【００１６】
本考案の飛沫飛散防止機能付きメガホンは、マスク保持手段をｎ個のスリット、マスク被保持手段をｎ本の紐とし、２ｎ方向からマスク部を引っ張りメガホンの先端開口部に保持する構造とすることで、マスク保持手段とマスク被保持手段との連結の解除と再連結とを容易とし、同時に、マスク部が先端開口部に、より密接に接する（すなわち密閉度を高めた）飛沫飛散防止機能付きメガホンを提供できるという効果を有する。さらには、マスク保持手段がｎ個のスリットであるので、メガホン本体を平面状態からの組立および平面状態への展開が可能な構造とした場合に、平面状態において立体的出っ張りが生じずに完全な平面となるので、メガホン本体の携帯に便利な飛沫飛散防止機能付きメガホンを提供できるという効果を有する。
【００１７】
本考案の飛沫飛散防止機能付きメガホンは、メガホン本体を、平面状態からの組立および平面状態への展開が可能な構造とすることで、携帯時や商品搬送時に平面状態としてメガホン本体の携帯や搬送に便利な飛沫飛散防止機能付きメガホンを提供できるという効果を有する。
【００１８】
本考案の飛沫飛散防止機能付きメガホンは、マスク部を多層構造としたり、さらにその少なくとも１つの層（全ての層を含む）の材質を不織布としたりすることで、より飛沫飛散防止機能を高めた飛沫飛散防止機能付きメガホンを提供できるという効果を有する。
【００１９】
本考案の飛沫飛散防止機能付きメガホンは、マスク部の形状を略円形または略正多角形とすることで、特に複数の対称方向からマスク部が引っ張られて先端開口部に保持される場合において、各方向の引っ張り力が均等になり密閉度が高くなるので、より飛沫飛散防止機能を高めた飛沫飛散防止機能付きメガホンを提供できるという効果を有する。
【図面の簡単な説明】
【００２０】
【図１】第１の実施例における飛沫飛散防止機能付きメガホンの一例を示す斜視図である。
【図２】第１の実施例における飛沫飛散防止機能付きメガホンの一例を示す平面図である。
【図３】第１の実施例における飛沫飛散防止機能付きメガホンの一例を示す右側面図である。
【図４】第１の実施例における飛沫飛散防止機能付きメガホンの一例を示す正面図である。
【図５】第１の実施例における飛沫飛散防止機能付きメガホンの一例を示す背面図である。
【図６】第１の実施例における飛沫飛散防止機能付きメガホンのメガホンマスクの一例を示す図である。
【図７】第１の実施例における飛沫飛散防止機能付きメガホンのメガホン本体の一例を示す展開図である。
【考案を実施するための形態】
【００２１】
以下、図面を参照して本考案による飛沫飛散防止機能付きメガホンの実施例を説明する。本考案において、口元開口部とは、いわゆるホーンスロート（ホーンの口元位置部分）の開口部の淵部分のことと定義する。先端開口部とは、いわゆるホーンマウス（ホーンの音の出口位置部分）の開口部の淵部分のことと定義する。先端開口部からの飛沫飛散とは、飛沫飛散防止機能付きメガホンの使用者が口元開口部を通して声を発した場合に先端開口部から発せられる飛沫の飛散のことと定義する。ｎ回対称とは、正多角形のように中心または軸の周りを(３６０／ｎ)°回転させると自らと重なる性質であると定義する。例えば正ｎ角形はｎ回対称である。略ｎ回対称または略２ｎ回対称における略とは、対称性において略であること、すなわち、(３６０／ｎ)°回転または(３６０／２ｎ)°回転させて完全に重なるものでなくても良いという意味合いであることと定義する。
【実施例１】
【００２２】
図１から図７を用いて、本実施例に係る飛沫飛散防止機能付きメガホンについて説明する。図１は、第１の実施例における飛沫飛散防止機能付きメガホン１の全体構成を示す斜視図である。図２から図５はそれぞれ、飛沫飛散防止機能付きメガホン１の平面図、右側面図、正面図、背面図、である。飛沫飛散防止機能付きメガホン１の底面図は平面図と同一であり、左側面図は右側面図と左右対称の図となるため、底面図、左側面図の図示は省略する。図６は、飛沫飛散防止機能付きメガホン１を構成するメガホンマスクの図である。図７は、飛沫飛散防止機能付きメガホン１のメガホン本体の展開図である。
【００２３】
図２から図５の図は、口元開口部側から当該メガホンを見た場合を正面、先端開口部側から当該メガホンを見た場合を背面、メガホン胴部のスリットを上にして当該メガホンを上から見た場合を平面、右から見た場合を右側面としている。図１は口元開口部側から当該メガホンを斜め方向から見た場合である。図５におけるマスク部上の円形のラインは、後述するように当該メガホンを組み立てた場合にマスク部が各紐で引っ張られるため、先端開口部の位置で形成されている円形のライン（折り目）である。
【００２４】
［飛沫飛散防止機能付きメガホン１の構成について］
図１から図５に示すように、飛沫飛散防止機能付きメガホン１は、メガホン本体１１と、メガホンマスク１２と、から構成される。メガホン本体１１は、メガホン胴部１１１と、口元開口部１１２と、先端開口部１１３と、マスク保持手段１１４と、から構成される。
【００２５】
図１から図４に示すように、メガホン本体１１の形状はメガホンとして機能するよう、すなわち拡声効果があるように、口元開口部１１２の面（口元開口部１１２により構成される面；以下同様）の面積よりも先端開口部１１３の面の面積が広いことが必要条件である。
【００２６】
ここで図１におけるメガホン本体１１の形状は略円錐形であるが、これは一例に過ぎず、略多角錐形やラッパ形状（壁面が双曲線関数や指数関数を用いたカーブを有する形状）であっても、左右非対称、上下非対称の形状であっても良い。ただし、拡声効果を高めるためには略円錐形やラッパ形状が望ましく、後述するようなメガホン本体１１を展開可能とする場合には、略円錐形や略多角錐形であることが組立と展開の容易さから望ましい。
【００２７】
図６および図１等に示すように、メガホンマスク１２は、先端開口部１１３からの飛沫の飛散を防止するため先端開口部１１３に接して覆うマスクであって、マスク部１２１と、マスク被保持手段１２２と、から構成される。
【００２８】
図４、図５および図１等に示すように、マスク部１２１が先端開口部１１３を覆うことができるよう、マスク部１２１の大きさはメガホン本体１１の先端開口部１１３の面の面積よりも大きいことが必要条件である。また、先端開口部１１３からの飛沫の飛散を防止するためにマスク部１２１は先端開口部１１３に接して後述のマスク被保持手段１２２により保持されることが必要条件である。
【００２９】
マスク保持手段１１４は、マスク部１２１を先端開口部１１３に保持するための手段であり、マスク被保持手段１２２は、マスク部１２１が先端開口部１１３に保持されるための手段であって、マスク保持手段１１４とマスク被保持手段１２２とは、互いに連結される構造である。
【００３０】
本実施例においては、マスク保持手段１１４とマスク被保持手段１２２とは以下のような構造としている。すなわち、マスク保持手段１１４は、メガホン胴部１１１に切られたｎ個（ｎは２以上の整数）のスリット１１４ａであり、各スリット１１４ａの位置は、先端開口部１１３からの距離が等しい位置であって、かつ、メガホン本体１１の中心軸に対して略ｎ回対称の位置であり、各スリット１１４ａは口元開口部１１２に向けて略半円形に切られている。
【００３１】
また、マスク被保持手段１２２は、ｎ本の紐１２２ａと、マスク部１２１の外周付近にある２ｎ個の取付部１２２ｂと、からなり、各取付部１２２ｂは、マスク部１２１の中心に対して略２ｎ回対称の位置にあり、各紐１２２ａの２端は隣り合う取付部１２２ｂに取り付けられている。
【００３２】
さらに、各スリット１１４ａと各取付部１２２ｂに取り付けられた各紐１２２ａとは、互いに連結され、連結を解除され、再連結されることを可能とするために、各紐１２２ａの中央部近辺が各スリット１１４ａに嵌入可能で、かつ、嵌入を外すことが可能な、各紐１２２ａの長さおよび各スリット１１４ａの位置関係である。
【００３３】
各スリット１１４ａと各紐１２２ａとが互いに連結された状態において、略２ｎ回対称の方向に、先端開口部１１３を覆うマスク部１２１が各紐１２２ａにより各取付部１２２ｂを通して引かれることで、マスク部１２１が先端開口部１１３に保持される構造である。
【００３４】
本実施例において具体的には、図１から図４、図６、図７に示すように、上記のｎを２とし、メガホン本体１１のメガホン胴部１１１に２個のスリット１１４ａがメガホン本体１１の中心軸に対して略２回対称の位置、すなわち、１８０°の対称位置にあるようにしている。また図６等に示すように、２本の紐１２２ａの各２端が、略円形のマスク部１２１の外周の外側であってマスク部１２１の中心に対して略４回対称の位置（すなわち９０°の対称位置）にある４個の取付部１２２ｂの隣り合う箇所で取り付けられている。各取付部１２２ｂは、マスク部１２１の外周部に備わった４つの取付用凸部１２２ｃ（形状は略二等辺三角形）上に備わっている。図６においては取付用凸部１２２ｃの裏側の取付部１２２ｂの位置に各紐１２２ａが取り付けられている。
【００３５】
また図５に示すように、各スリット１１４ａと各紐１２２ａとが互いに連結された状態において、略４回対称の方向（すなわち９０°対称の方向）に、先端開口部１１３を覆うマスク部１２１が各紐１２２ａにより各取付部１２２ｂを通して引かれることで、マスク部１２１が先端開口部１１３に保持されている。すなわち、マスク部１２１が、先端開口部１１３の中心に対して対称に４方向に引かれて先端開口部１１３に接して保持されている。
【００３６】
ここで、ｎ＝２とするのは一例に過ぎず、ｎは３以上であっても良い。ｎの数を増やせばマスク部の引かれる数が増えることになり、マスク部が先端開口部に、より密接に接する（すなわち密閉度を高める）ことになる。しかし、各スリットと各紐との連結がｎ個であるから、ｎの数を増やすほど、より連結の解除や再連結の手間を要することになる。本実施例でｎ＝２としているのは、４方向にマスク部が引かれるだけでも十分な密閉度が得られるので、連結の解除や再連結の手間との兼ね合いから、ｎ＝２としているに過ぎない。
【００３７】
前述のように、図５におけるマスク部１２１上の円形のラインは、マスク部１２１が各紐１２２ａで引っ張られるため、先端開口部１１３の位置で形成されている円形のライン（折り目）である。先端開口部１１３の位置で折り目が形成されているということは先端開口部１１３でマスク部１２１が密接に接していることを示している。また、図２の上部左右、図３の右側上下の先端開口部１１３の位置においてマスク部１２１が口元開口部１１２の方向に向けて折れ曲がっているのは、各取付部１２２ｂの間の位置においてもマスク部１２１が各紐１２２ａで引っ張られることによる引っ張り力があり、各取付部１２２ｂの間の位置においても先端開口部１１３でマスク部１２１が密接に接していることを示している。よって、本構造によれば、ｎ＝２（ｎの最小値）であっても先端開口部のどの位置においても十分な密閉度が得られている。また、ｎが３以上の場合において十分な密閉度が得られることはなおさらである。
【００３８】
また、本実施例で示したようなマスク保持手段とマスク被保持手段、すなわち、スリットと紐とで連結されることでマスク部が先端開口部に保持される構造とするのは一例に過ぎず、他の一例として、ボタンとボタンホール、フックと紐、などの構造であっても良い。しかし、ボタンやフックなど立体的な構造の場合、後述するようなメガホン本体を平面状態からの組立および平面状態への展開が可能な構造とした場合に、平面状態において立体的出っ張りが生じることになり、携帯に便利であるとは言えない。よって、本実施例ではスリットと紐の構造とし、メガホン本体のマスク保持手段をスリットという平面的構造として、携帯に便利な構造としている。
【００３９】
さらに本実施例は、マスク保持手段とマスク被保持手段とが、互いに連結され、連結を解除され、再連結されることを可能とする構造であるが、他の一例として、互いに連結されたまま、すなわち固定されたまま連結の解除（さらには再連結）が可能でない構造であっても良い。
【００４０】
また本実施例は、略円形のマスク部の外周部に略二等辺三角形の取付用凸部を付けることで取付部を備えているが、マスク部の外周部付近に取付部を備えれば足るため、取付用凸部を付けずにマスク部の外周部付近の内側、すなわちマスク部に直接取付部を備える構造であっても良い。またマスク部が略円形であることは一例に過ぎず、略正多角形やその他の形状であっても良い。
【００４１】
しかし、例えば２ｎ回対称の方向からマスク部が引っ張られる構造の場合には、マスク部の形状を略正２ｎ角形としてその各頂点付近に取付部を備える、または、略円形として２ｎ回対称位置に取付部を備えることで、各方向の引っ張り力が均等になり密閉度が高くなるので、より飛沫飛散防止機能を高めた飛沫飛散防止機能付きメガホンとするためには、マスク部は略円形または略正２ｎ角形とすることが望ましい。
【００４２】
図７は本実施例における飛沫飛散防止機能付きメガホン１のメガホン本体１１の展開図である。メガホン本体１１は、平面状態からの組立および平面状態への展開が可能な構造である。すなわち本実施例においては、図７の扇型の展開図の平面状態からメガホン本体１１が組み立てられ、かつ、図７の展開図への平面状態への展開が可能である。メガホン本体１１の母線方向に切られた２本の組立スリット１１５に、各組立スリット１１５に対応した２つの凸型の組立嵌入部１１６を嵌入することで平面状態からメガホン本体１１を立体状態に組み立て、外すことで平面状態への展開が可能である。ただし、組立スリットと組立嵌入部の本数や位置関係は一例に過ぎない。さらには組立スリットと組立嵌入部との組み合わせとすることは一例に過ぎず、他の構造により組立および展開を可能とするものであっても良い。
【００４３】
ここでメガホン本体１１が平面状態への展開を可能とするためには、マスク保持手段１１４とマスク被保持手段１２２とが、互いに連結され、連結を解除され、再連結されることを可能とする構造であることが必要条件である。連結が解除できなければ平面状態への展開が不可能であるためである。ただし他の一例として、マスク保持手段とマスク被保持手段とが、互いに連結され、連結を解除され、再連結されることを可能とする構造であるか否かに関わらず、メガホン本体は組み立てられたままであって、平面状態への展開が可能ではない構造であっても良い。
【００４４】
ここでマスク部の材質や積層構造については限定するものではない。しかし先端開口部からの飛沫の飛散防止を効果的なものとするため、マスク部が多層構造であったり、そのいずれかの層（または全層）の材質が不織布であったりすることが望ましい。
【００４５】
また、紐の材質については限定するものではない。しかし各スリットと各取付部に取り付けられた各紐とが、互いに連結され、連結を解除され、再連結されることが可能な構造である場合には、その連結の解除、再連結を容易とするため、伸縮性のある材質（例えばゴム紐など）であることが望ましい。紐と取付部との取り付け手段についても限定するものではない。紐が取付部に縫い付けられていても接着されていてもその他の手段であっても良い。
【００４６】
さらに、メガホン本体の材質については限定するものではない。メガホン本体を平面状態からの組立および平面状態への展開が可能な構造とした場合においては、組立や展開が容易であって展開したまま携帯が容易な材質（例えば紙など）であることが望ましい。
【００４７】
［飛沫飛散防止機能付きメガホン１の効果について］
このような第１の実施例により、飛沫飛散防止機能として抗菌／抗ウイルスフィルターなどからなるフィルターの代わりにマスク素材を用いた構造とすることで廉価な飛沫飛散防止機能付きメガホンを提供できる。また、当該マスク素材がメガホンの先端開口部に保持される構造であるので、ホーンスロート位置の界壁と比較して広い面積の界壁として音圧の減衰を小さくするなどにより、十分な拡声効果が得られる飛沫飛散防止機能付きメガホンを提供できる。
【００４８】
このような第１の実施例により、当該マスク素材をメガホンの先端開口部に保持するためのマスク保持手段とマスク被保持手段との連結が、解除されおよび再連結されることが可能な構造とすることで、当該メガホンの携帯や商品搬送を容易とし、かつ、各部の交換が容易な飛沫飛散防止機能付きメガホンを提供できる。
【００４９】
すなわち、マスク保持手段とマスク被保持手段とが連結されたままの状態、すなわち、メガホン本体とメガホンマスクとが連結されたままの状態で当該メガホンを携帯したり商品として搬送したりするには、メガホンマスクがメガホン本体の先端開口部を覆う構造上、かさばることになるので、連結を解除すなわち分解して当該メガホンを携帯や搬送できた方が、利便性が高い。また、連結されたまま携帯や搬送すると連結部分が破壊される可能性があるので、連結を解除して当該メガホンを携帯や搬送できた方が破壊の可能性を回避できる。さらには、当該メガホンを構成する一部が破損した場合には一部のみの交換で済むので利便性が高く、かつ、飛沫のついたメガホンマスクのクリーニングや交換が容易で利便性が高い。
【００５０】
このような第１の実施例により、マスク保持手段をｎ個のスリット、マスク被保持手段をｎ本の紐とし、２ｎ方向からマスク部を引っ張りメガホンの先端開口部に保持する構造とすることで、マスク保持手段とマスク被保持手段との連結の解除と再連結とを容易とし、同時に、マスク部が先端開口部に、より密接に接する（すなわち密閉度を高めた）飛沫飛散防止機能付きメガホンを提供できる。さらには、マスク保持手段がｎ個のスリットであるので、メガホン本体を平面状態からの組立および平面状態への展開が可能な構造とした場合に、平面状態において立体的出っ張りが生じずに完全な平面となるので、メガホン本体の携帯に便利な飛沫飛散防止機能付きメガホンを提供できる。
【００５１】
このような第１の実施例により、メガホン本体を、平面状態からの組立および平面状態への展開が可能な構造とすることで、携帯時や商品搬送時に平面状態としてメガホン本体の携帯や搬送に便利な飛沫飛散防止機能付きメガホンを提供できる。
【００５２】
すなわち、メガホン本体を平面状態から組み立てることができるので、平面状態のメガホンマスクと合わせて当該メガホンを平面状態での商品の搬送や販売が可能となり、かさばりがなくて利便性が高い。また、当該メガホンの使用者においても平面状態に展開して例えばクリアファイルのようなシート状のものに入れて携帯でき使用時に組み立てることができるので携帯にかさばりがなくて利便性が高い。
【００５３】
このような第１の実施例により、マスク部を多層構造としたり、さらにその少なくとも１つの層（全ての層を含む）の材質を不織布としたりすることで、より飛沫飛散防止機能を高めた飛沫飛散防止機能付きメガホンを提供できる。
【００５４】
すなわち、マスク部を、人の口元用のマスクと同様な飛沫飛散防止機能を高めたマスクの層構造や材質のものを使用することで、人の口元用のマスクを着けていると同等の飛沫飛散防止が可能となる。また、使用者が口元用のマスクを着けてさらに当該メガホンを使用することにより、より飛沫飛散の防止効果が高まる。さらには、当該メガホンを使用していないときには、メガホンマスクの紐を耳にかけて人の口元用のマスクとしても十分使用可能なメガホンマスクを提供できる。
【００５５】
このような第１の実施例により、マスク部の形状を略円形または略正多角形とすることで、特に複数の対称方向からマスク部が引っ張られて先端開口部に保持される場合において、各方向の引っ張り力が均等になり密閉度が高くなるので、より飛沫飛散防止機能を高めた飛沫飛散防止機能付きメガホンを提供できる。
【００５６】
すなわち、例えば２ｎ回対称の方向からマスク部が引っ張られる構造の場合には、マスク部の形状を略正２ｎ角形としてその各頂点付近に取付部を備える、または、略円形として２ｎ回対称位置に取付部を備えることで、各方向の引っ張り力が均等になり密閉度が高くなるので、より飛沫飛散防止機能を高めた飛沫飛散防止機能付きメガホンを提供できる。
【産業上の利用可能性】
【００５７】
以上のように本考案による飛沫飛散防止機能付きメガホンは、廉価で、かつ、メガホンの拡声効果を高めた飛沫飛散防止機能付きメガホンを提供できる点で有用である。
【符号の説明】
【００５８】
１        飛沫飛散防止機能付きメガホン
１１      メガホン本体
１１１    メガホン胴部
１１２    口元開口部
１１３    先端開口部
１１４    マスク保持手段
１１４ａ  スリット
１１５    組立スリット
１１６    組立嵌入部
１２      メガホンマスク
１２１    マスク部
１２２    マスク被保持手段
１２２ａ  紐
１２２ｂ  取付部
１２２ｃ  取付用凸部
【図１】
0003233203.tif 000003
【図２】
0003233203.tif 000004
【図３】
0003233203.tif 000005
【図４】
0003233203.tif 000006
【図５】
0003233203.tif 000007
【図６】
0003233203.tif 000008
【図７】
0003233203.tif 000009